(57)【要約】【課題】複数番組同時再生中における各番組の再生制御が可能な再生装置を提供すること。【解決手段】再生装置は、記録手段と、再生手段と、再生制御手段とを備える。前記記録手段は、複数番組を記録する。前記再生手段は、複数表示領域で前記複数番組を再生する。前記再生制御手段は、前記複数表示領域のうちの第１の表示領域により再生される第１の番組の選択に対応して、前記第１の表示領域により表示される第１の番組の現在再生時間位置を変更して再生する。【選択図】図７
2012095211.tif 000002
【特許請求の範囲】
【請求項１】
複数番組を記録する記録手段と、
複数表示領域で前記複数番組を再生する再生手段と、
前記複数表示領域のうちの第１の表示領域により再生される第１の番組の選択に対応して、前記第１の表示領域により表示される第１の番組の現在再生時間位置を変更して再生する再生制御手段と、
を備えた再生装置。
【請求項２】
前記再生制御手段は、前記第１の表示領域の選択に対応して、前記第１の番組の現在放送中の第１の再生時間位置を前記第１の再生時間位置より過去の第２の再生時間位置へ変更し、前記第１の番組を前記第２の再生時間位置から再生する請求項１記載の再生装置。
【請求項３】
前記再生制御手段は、前記第１の表示領域の選択に対応して、前記第１の番組の現在放送中の前記第１の再生時間位置を前記第１の番組の先頭の第２の再生時間位置へ変更し、前記第１の番組を前記先頭から再生する請求項１又は２記載の再生装置。
【請求項４】
前記再生制御手段は、前記複数表示領域のうちの第２の表示領域により再生される第２の番組の選択に対応して、前記第２の表示領域により表示される前記第２の番組の現在再生時間位置を変更して再生する請求項１乃至３の何れか１項に記載の再生装置。
【請求項５】
前記再生制御手段は、時間戻し操作に対応して、前記第１の番組を現在放送中の第３の再生時間位置へ戻して再生し、前記第２の番組も現在放送中の第４の再生時間位置へ戻して再生する請求項４記載の再生装置。
【請求項６】
時間軸とチャンネル軸で構成され且つ複数チャンネルにより提供される各番組に対応した番組情報を含む番組一覧表を表示する表示手段を備え、
前記表示手段は、前記複数チャンネルにより提供される各番組のうち再生中番組及び非再生中番組を識別可能に表示した前記番組情報を含む前記番組一覧表を表示する請求項１乃至５の何れか１項に記載の再生装置。
【請求項７】
前記表示手段は、前記複数表示領域を含む前記番組一覧表を表示する請求項６に記載の再生装置。
【請求項８】
複数番組を記録し、
複数表示領域で前記複数番組を再生し、
前記複数表示領域のうちの第１の表示領域により再生される第１の番組の選択に対応して、前記第１の表示領域により表示される第１の番組の現在再生時間位置を変更して再生する再生方法。
【発明の詳細な説明】
【技術分野】
【０００１】
本発明の実施形態は、再生装置及び再生方法に関する。
【背景技術】
【０００２】
近年、デジタルテレビ放送信号を受信し、受信したデジタルテレビ放送信号に基づく番組を記録したり、再生したりすることが可能なテレビ放送受信装置が普及している。例えば、テレビ放送受信装置は、ＨＤＤ又はＤＶＤを使ってデジタルテレビ放送信号に基づく番組を記録することができる。また、テレビ放送受信装置は、デジタルテレビ放送信号からサービス情報を取得し、このサービス情報に基づき番組リストを表示することができる。
【０００３】
さらに、近年、複数チューナーを備えた複数チャンネル放送受信装置が登場している。例えば、複数チャンネル放送受信装置は、複数チューナーで受信した複数チャンネルに対応した複数番組を記録したり再生したりすることができる。例えば、複数チャンネル放送受信装置は、１画面中の複数表示領域により複数番組を同時に表示することができる。
【先行技術文献】
【特許文献】
【０００４】
【特許文献１】特開２００８−４２５２０号公報
【発明の概要】
【発明が解決しようとする課題】
【０００５】
上記したように、複数チャンネル放送受信装置は、１画面中の複数表示領域により複数番組を同時に表示することができる。しかしながら、複数チャンネル放送受信装置は、複数番組同時表示中には、複数番組の中の１番組の再生制御を受け付けない。つまり、ユーザは、１番組単独表示に切り替えてからでないと、１番組の再生を後戻ししたり、先送りしたりすることができず、不便である。
【０００６】
本発明の目的は、複数番組同時再生中における各番組の再生制御が可能な再生装置及び再生方法を提供することにある。
【課題を解決するための手段】
【０００７】
実施形態の再生装置は、記録手段と、再生手段と、再生制御手段とを備える。前記記録手段は、複数番組を記録する。前記再生手段は、複数表示領域で前記複数番組を再生する。前記再生制御手段は、前記複数表示領域のうちの第１の表示領域により再生される第１の番組の選択に対応して、前記第１の表示領域により表示される第１の番組の現在再生時間位置を変更して再生する。
【図面の簡単な説明】
【０００８】
【図１】第１及び第２の実施形態に共通のデジタルテレビジョン放送受信装置（再生装置）の構成の一例を示す図である。
【図２】第１及び第２の実施形態に共通の再生制御の一例を示すフローチャートである。
【図３】第１及び第２の実施形態に共通の再生制御の一例を示すフローチャートである。
【図４】第１及び第２の実施形態に共通の再生制御の一例を示すフローチャートである。
【図５】第１の実施形態のマルチ画面の一例を示す図である。
【図６】第１の実施形態のマルチ画面の一例を示す図である。
【図７】第１の実施形態のマルチ画面の一例を示す図である。
【図８】第１の実施形態のマルチ画面の一例を示す図である。
【図９】第１の実施形態のマルチ画面の一例を示す図である。
【図１０】第１の実施形態のマルチ画面の一例を示す図である。
【図１１】第２の実施形態の番組案内画面（マルチ画面）の一例を示す図である。
【発明を実施するための形態】
【０００９】
以下、第１及び第２の実施形態について図面を参照して説明する。
【００１０】
図１は、第１及び第２の実施形態に共通のデジタルテレビジョン放送受信装置（再生装置）の構成の一例を示す図である。第１及び第２の実施形態では、映像表示部を備えたデジタルテレビジョン放送受信装置による再生制御について説明する。なお、映像表示部は必須の構成ではない。例えば、デジタルテレビジョン放送受信装置から映像表示部を除いた各種のレコーダにより以下説明する再生制御を実現することも可能である。各種のレコーダとは、例えば、ＨＤＤレコーダである。
【００１１】
図１に示すように、デジタルテレビジョン放送受信装置１は、アンテナ１０１、入力端子１０２、チューナー部１０３、外部入力端子１０４〜１０７、信号処理モジュール１０８、コントローラ１１０、ＯＳＤ信号生成モジュール１１１、グラフィック処理モジュール１１２、映像処理モジュール１１３、音声処理モジュール１１４、操作部１１５、受信部１１７、カードホルダ１１９、カードインターフェース１２０、明るさセンサー１２１、ＬＡＮ端子１２２、通信インターフェース１２３、ＵＳＢ端子１２４、ＵＳＢインターフェース１２５、ｉＬＩＮＫ端子１２６、ｉＬＩＮＫインターフェース１２７、ＨＤＭＩ端子１２８、ＨＤＭＩインターフェース１２９、映像表示部１４１、スピーカ１４２、及びＨＤＤ１５１、１５２を備えている。
【００１２】
さらに、チューナー部１０３は、地上デジタルテレビジョン放送用のチューナー１０３１〜１０３８を備え、さらにＢＳ／ＣＳデジタルテレビジョン放送用のチューナーも備えている。地上デジタルテレビジョン放送用のチューナー１０３１〜１０３８により、地上デジタルテレビジョン放送に対応した地上デジタルテレビジョン放送の番組表を受信し、表示することができる。また、ＢＳ／ＣＳデジタルテレビジョン放送用のチューナーにより、ＢＳ／ＣＳデジタルテレビジョン放送に対応した番組表の表示を受信し、表示することもできる。
【００１３】
また、図１に示すように、デジタルテレビジョン放送受信装置１が、映像表示部１４１及びスピーカ１４２を備えるケースについて説明する。しかしながら、デジタルテレビジョン放送受信装置１は、このような構成に限定されるものではない。例えば、デジタルテレビジョン放送受信装置１は、映像表示部１４１及びスピーカ１４２を含まない構成であってもよい。つまり、デジタルテレビジョン放送受信装置１は、ＨＤＭＩ等の接続手段を介して映像表示部１４１及びスピーカ１４２と接続する構成であってもよい。
【００１４】
また、図１に示すように、デジタルテレビジョン放送受信装置１が、ＨＤＤ１５１、１５２を備えるケースについて説明する。しかしながら、デジタルテレビジョン放送受信装置１は、このような構成に限定されるものではない。例えば、デジタルテレビジョン放送受信装置１は、ＨＤＤ１５１、１５２を含まない構成であってもよい。つまり、デジタルテレビジョン放送受信装置１は、ＵＳＢ端子及びＵＳＢインターフェース１２５などの接続手段を介して外部記憶装置（ＨＤＤなど）と接続する構成であってもよい。
【００１５】
また、本実施形態では、図１に示すように、デジタルテレビジョン放送受信装置１が、複数のチューナーを備えるケースについて説明する。しかしながら、デジタルテレビジョン放送受信装置１は、このような構成に限定されるものではない。例えば、デジタルテレビジョン放送受信装置１が、複数のチューナーを含まない構成であってもよい。その場合、例えば、デジタルテレビジョン放送受信装置１は、ＬＡＮ端子１２２を介してＩＰ（Internet Protocol）放送を受信し、ＩＰ放送の複数チャンネルに対応した番組を再生したり、記録したりする構成であってもよい。
【００１６】
以下、デジタルテレビジョン放送受信装置１の詳細について説明する。
【００１７】
地上波放送受信用のアンテナ１０１で受信した地上デジタルテレビジョン放送信号は、入力端子１０２を介してチューナー１０３１〜１０３８に供給され、チューナー１０３１〜１０３８の地上デジタルテレビジョン放送用信号処理部で、所望のチャンネルのデジタルテレビジョン放送信号が選局される。そして、このチューナー１０３１〜１０３８で選局された複数のデジタルテレビジョン放送信号は、ＯＦＤＭ（orthogonal frequency division multiplexing）復調モジュールに供給されて、デジタルの映像信号及び音声信号に復調された後、信号処理モジュール１０８に出力される。
【００１８】
ここで、上記信号処理モジュール１０８は、ＯＦＤＭ復調モジュールから供給されたデジタルの映像信号及び音声信号に対して、選択的に所定のデジタル信号処理を施し、グラフィック処理モジュール１１２及び音声処理モジュール１１４に出力している。
【００１９】
また、上記信号処理モジュール１０８には、例えば４つの入力端子１０４〜１０７が接続されている。これら入力端子１０４〜１０７は、それぞれ、アナログの映像信号及び音声信号を、デジタルテレビジョン放送受信装置１の外部から入力可能とするものである。
【００２０】
そして、この信号処理モジュール１０８は、各入力端子１０４〜１０７からそれぞれ供給されたアナログの映像信号及び音声信号を選択的にデジタル化し、このデジタル化された映像信号及び音声信号に対して所定のデジタル信号処理を施した後、グラフィック処理モジュール１１２及び音声処理モジュール１１４に出力している。
【００２１】
このうち、グラフィック処理モジュール１１２は、信号処理モジュール１０８から供給されるデジタルの映像信号に、ＯＳＤ（on screen display）信号生成モジュール１１１で生成されるＯＳＤ信号を重畳して出力する機能を有する。このグラフィック処理モジュール１１２は、信号処理モジュール１０８の出力映像信号と、ＯＳＤ信号生成モジュール１１１の出力ＯＳＤ信号とを選択的に出力すること、また、両出力をそれぞれ画面の半分を構成するように組み合わせて出力することができる。
【００２２】
そして、グラフィック処理モジュール１１２から出力されたデジタルの映像信号は、映像処理モジュール１１３に供給される。映像処理モジュール１１３により処理された映像信号は、映像表示部１４１に供給される。映像表示部１４１は、映像信号に基づく映像を表示する。
【００２３】
また、上記音声処理モジュール１１４は、入力されたデジタルの音声信号を、スピーカ１４２で再生可能なフォーマットのアナログ音声信号に変換した後、スピーカ１４２に出力して音声再生させる。
【００２４】
ここで、このデジタルテレビジョン放送受信装置１は、上記した各種の受信動作を含むその全ての動作をコントローラ１１０によって統括的に制御されている。コントローラ１１０は、ＣＰＵ（central processing unit）等を備え、操作部１１５からの操作情報（各種指示）、または、リモートコントローラ１１６から送出され受光部１１７を介して受信した操作情報（各種指示）を受けて、その操作内容が反映されるように各モジュール等をそれぞれ制御する。
【００２５】
また、コントローラ１１０は、ＣＰＵが実行する制御プログラムを格納したＲＯＭ（read only memory）１１０１と、ＣＰＵに作業エリアを提供するＲＡＭ（random access memory）１１０２と、各種の設定情報及び制御情報等が格納される不揮発性メモリ１１０３とを備えている。
【００２６】
また、コントローラ１１０は、カードインターフェース１２０を介して、メモリカード１１８が装着可能なカードホルダ１１９に接続されている。これによって、コントローラ１１０は、カードホルダ１１９に装着されたメモリカード１１８と、カードインターフェース１２０を介して、情報伝送を行なうことができる。
【００２７】
また、上記コントローラ１１０は、通信インターフェース１２３を介してＬＡＮ端子１２２と接続されている。これにより、コントローラ１１０は、ＬＡＮ端子２１に接続されたＬＡＮ対応機器と、通信インターフェース１２３を介して情報伝送を行なうことができる。この場合、コントローラ１１０は、ＤＨＣＰ（dynamic host configuration protocol）サーバ機能を有し、ＬＡＮ端子１２２に接続されたＬＡＮ対応機器にＩＰ（internet protocol）アドレスを割り当てて制御している。
【００２８】
さらに、上記コントローラ１１０は、ＨＤＭＩインターフェース１２９を介してＨＤＭＩ端子１２８と接続されている。これにより、コントローラ１１０は、ＨＤＭＩ端子１２８に接続されたＨＤＭＩ対応機器と、ＨＤＭＩインターフェース１２９を介して情報伝送を行なうことができる。
【００２９】
そして、上記コントローラ１１０は、ＵＳＢインターフェース１２５を介してＵＳＢ端子１２４と接続されている。これにより、コントローラ１１０は、ＵＳＢ端子１２４に接続されたＵＳＢ対応機器と、ＵＳＢインターフェース１２５を介して情報伝送を行なうことができる。
【００３０】
さらに、上記コントローラ１１０は、ｉＬＩＮＫインターフェース１２７を介してｉＬＩＮＫ端子１２６と接続されている。これにより、コントローラ１１０は、ｉＬＩＮＫ端子１２６に接続されたｉＬＩＮＫ対応機器と、ｉＬＩＮＫインターフェース１２７を介して情報伝送を行なうことができる。
【００３１】
さらに、上記コントローラ１１０は、明るさセンサー１２１からの明るさ検出信号を受信するように構成されている。これにより、コントローラ１１０は、明るさ検出信号に基づき、映像及びバックライトの明るさ等を制御することができる。
【００３２】
さらに、上記コントローラ１１０は、チューナー部１０３により選局されデスクランブルされた放送信号を、ＨＤＤ１５１、１５２、或いはＬＡＮ端子１２２又はＵＳＢ端子１２４を介して接続された外部記憶装置（ＨＤＤなど）へ記録するための記録動作を制御することもできる。なお、上記したように、チューナー部１０３は、複数のチューナーを備えているので、同時に、複数チャンネルの複数番組を記録したり、複数チャンネルの複数番組を表示したりすることができる。例えば、デジタルテレビジョン放送受信装置１は、ハイビジョンレベルの画質で複数チャンネル（指定された複数チャンネル）の１週間分（例えば１週間分の指定された時間帯）の全番組を記録することが可能となる。このような記録をマルチ同時記録と称する。なお、デジタルテレビジョン放送受信装置１は、上記したマルチ同時記録を実現するために、複数チャンネルに対応した複数チューナー１０３１〜１０３８を備えており、更に、スクランブル放送に対応するために、複数チューナー１０３１〜１０３８に対応した複数のデスクランブル用のカードを挿入するための複数のカードスロットも備えている。
【００３３】
（第１の実施形態）
次に、図２〜図１０を参照し、デジタルテレビジョン放送受信装置１による再生制御について説明する。より具体的には、デジタルテレビジョン放送受信装置１による複数番組のうちの１以上の番組のタイムシフト再生と前記複数番組のうちの残りの１以上の番組のリアルタイム再生の同時制御について説明する。なお、デジタルテレビジョン放送受信装置１による再生制御は、複数番組の全てをリアルタイム再生するケース、及び複数番組の全てをタイムシフト再生するケースも含むものとする。また、放送中の番組をそのまま出力（表示）することをリアルタイム再生と呼び、放送中の番組をそのまま出力せずに番組を記録し記録番組を出力（表示）することをタイムシフト再生と呼ぶ。
【００３４】
図２〜図４は、再生制御の一例を示すフローチャートである。図５〜図１０は、映像表示部１４１による複数チャンネルに対応した複数番組の同時表示（同時再生）の一例を示す図である。なお、図５〜図１０は、８チャンネルに対応した８番組を８つの表示領域で同時表示（同時再生）する画面（マルチ画面）の一例であるが、複数番組の同時表示はこのような８番組同時表示に限定されるものではない。複数番組の同時表示は、２番組以上の同時表示（同時再生）であればよい。
【００３５】
例えば、図５に示すように映像表示部１４１にマルチ画面が表示された状態（８チャンネルに対応した８番組が同時表示された状態）を想定する。つまり、信号処理モジュール１０８が、８チャンネルに対応した８番組を８つの表示領域で同時再生（リアルタイム再生）し、これに対応して、映像表示部１４１は、８チャンネルに対応した８番組を８つの表示領域で同時表示する。即ち、信号処理モジュール１０８が、チャンネルＣＨ１０１〜ＣＨ１０８の番組Ｐ１〜Ｐ８の映像を再生（リアルタイム再生）し、映像表示部１４１は、第１のサイズ（大きいサイズ）の表示領域Ｅ１により番組Ｐ１の放送中の映像を表示し、第１のサイズより小さい第２のサイズ（小さいサイズ）の表示領域Ｅ２〜Ｅ８により番組Ｐ２〜Ｐ８の放送中の映像を表示する。
【００３６】
ユーザは、チャンネルＣＨ１０１〜１０８の８チャンネル中からチャンネルＣＨ１０２を指定（選択）することができる。例えば、ユーザは、操作部１１５又はリモートコントローラ１１６を介して、映像表示部１４１の表示領域Ｅ１〜Ｅ８の８つの表示領域の中から表示領域Ｅ２を選択することにより、チャンネルＣＨ１０２を指定することができる(図２のＳ１００)。
【００３７】
コントローラ１１０は、表示領域Ｅ２の選択（チャンネルＣＨ１０２の指定）に対応して、例えば、表示領域Ｅ２を第１の表示枠で表示し、他の表示領域Ｅ１、Ｅ３〜Ｅ８を第１の表示枠と異なる第２の表示枠で表示するように制御する。つまり、コントローラ１１０は、表示領域Ｅ２の選択（チャンネルＣＨ１０２の指定）に対応して、表示領域Ｅ２と、他の表示領域Ｅ１、Ｅ３〜Ｅ８とを識別可能に表示するように制御する。これに対応して、映像表示部１４１は、表示領域Ｅ２と、他の表示領域Ｅ１、Ｅ３〜Ｅ８とを識別可能に表示する（図６参照）。なお、図６に示す表示領域Ｅ２をフォーカス領域、また番組Ｐ２をフォーカス番組と呼ぶこともある。
【００３８】
図２を参照して、再生制御の一例について説明すると、コントローラ１１０は、表示領域Ｅ２の選択（チャンネルＣＨ１０２の指定）に対応して、チャンネルＣＨ１０２の番組Ｐ２の再生制御及び表示制御を実行する。例えば、ユーザが、操作部１１５又はリモートコントローラ１１６を介して所定操作（例えば頭出しキー操作又は巻き戻しキー操作）を入力すると(図２のＳ１１０、ＹＥＳ)(図２のＳ１１０、ＮＯ)、コントローラ１１０は、番組Ｐ２の現在再生時間位置を変更して再生する(図２のＳ１２０又は図２のＳ１３０)。言い換えると、コントローラ１１０は、番組Ｐ２のリアルタイム再生をタイムシフト再生に切り替える。
【００３９】
例えば、上記所定操作（例えば頭出しキー操作或いは決定キー操作）に対応して、コントローラ１１０は、番組Ｐ２の現在放送中の第１の再生時間位置を番組Ｐ２の先頭の第２の再生時間位置へ変更し、番組Ｐ２を先頭から再生する(図２のＳ１２０)（図７参照）。つまり、コントローラ１１０は、番組Ｐ２のリアルタイム再生をタイムシフト再生に切り替え、番組Ｐ２を先頭から再生する。
【００４０】
或いは、上記所定操作（例えば巻き戻しキー操作或いは決定キー操作）に対応して、コントローラ１１０は、番組Ｐ２の現在放送中の第１の再生時間位置を第１の再生時間位置より過去の第２の再生時間位置（第１の再生時間位置より所定時間遡った第２の再生時間位置）へ変更し、番組Ｐ２を第２の再生時間位置から再生する(図２のＳ１３０)（図８参照）。つまり、コントローラ１１０は、番組Ｐ２のリアルタイム再生をタイムシフト再生に切り替え、番組Ｐ２を第２の再生時間位置から再生する。
【００４１】
続いて、図３を参照して、番組Ｐ２を先頭から再生する再生制御の一例についてより詳しく説明する。例えば、図５に示すチャンネルＣＨ１０１〜ＣＨ１０８に対応した放送中の番組Ｐ１〜Ｐ８を記録している場合、つまり、番組Ｐ２（フォーカス番組）が記録されている場合であって(図３のＳ３００、ＹＥＳ)、番組Ｐ２が放送中（リアルタイム再生中）の場合には(図３のＳ３１０、ＹＥＳ)、所定操作に対応して、コントローラ１１０は、番組Ｐ２の現在放送中の第１の再生時間位置を番組Ｐ２の先頭の第２の再生時間位置へ変更し、番組Ｐ２を先頭から再生する(図３のＳ３２０)（図７参照）。つまり、コントローラ１１０は、番組Ｐ２のリアルタイム再生をタイムシフト再生に切り替え、番組Ｐ２を先頭から再生する。このとき、コントローラ１１０は、他の番組Ｐ１、Ｐ３〜Ｐ８の現在放送中の映像を再生を継続する（図７参照）。つまり、コントローラ１１０は、他の番組Ｐ１、Ｐ３〜Ｐ８のリアルタイム再生を継続する。
【００４２】
或いは、所定操作に対応して、コントローラ１１０が、全番組（番組Ｐ１〜Ｐ８）を先頭から再生することもできる。つまり、所定操作に対応して、コントローラ１１０が、全番組（番組Ｐ１〜Ｐ８）のリアルタイム再生をタイムシフト再生に切り替え、全番組を先頭から再生することもできる。
【００４３】
或いは、所定操作に対応して、コントローラ１１０は、番組Ｐ２と番組Ｐ１の表示位置を入れ替えて、番組Ｐ２を先頭から再生し、他の番組Ｐ１、Ｐ３〜Ｐ８の現在放送中の映像の再生を継続することもできる。この場合、映像表示部１４１は、番組Ｐ２の映像を第１のサイズ（大きいサイズ）の表示領域Ｅ１で表示し、番組Ｐ１の映像を第２のサイズ（小さいサイズ）の表示領域Ｅ２で表示する(図９参照)。
【００４４】
なお、番組Ｐ２が放送中（リアルタイム再生中）の番組でなく(図３のＳ３１０、ＮＯ)、タイムシフト再生中番組であれば(図３のＳ３３０、ＹＥＳ)、所定再生制御操作に対応して、コントローラ１１０は、番組Ｐ２のタイムシフト再生を制御する(図３のＳ３４０)。
【００４５】
なお、番組Ｐ１〜Ｐ８のうちの番組Ｐ２が先頭から再生され、他の番組Ｐ１、Ｐ３〜Ｐ８の現在放送中の映像の再生がされている状態で、さらに、ユーザが、操作部１１５又はリモートコントローラ１１６を介して、表示領域Ｅ１〜Ｅ８の８つの表示領域の中から表示領域Ｅ３を選択し（チャンネルＣＨ１０３を指定し）、操作部１１５又はリモートコントローラ１１６を介して、所定操作（例えば頭出しキー操作或いは決定キー操作）を入力すると、コントローラ１１０は、番組Ｐ３の現在放送中の第３の再生時間位置を番組Ｐ３の先頭の第４の再生時間位置へ変更し、番組Ｐ３を先頭から再生する（図１０参照）。つまり、コントローラ１１０は、番組Ｐ２及びＰ３をタイムシフト再生しつつ、番組Ｐ１、Ｐ４〜Ｐ８をリアルタイム再生する。このようにして、デジタルテレビジョン放送受信装置は、８番組の夫々の再生を制御することができる。
【００４６】
以上により、映像表示部１４１により８番組が同時に表示されている状態で、ユーザが視聴を希望していた番組Ｐ２が途中まで放送されてしまっていた場合に、簡単操作で、番組Ｐ２を最初から視聴することができる。例えば、ユーザが、操作部１１５又はリモートコントローラ１１６を介して、１番組単独表示を複数番組同時表示に切り替えたとき、ユーザは、視聴を希望していた番組Ｐ２が途中まで放送されてしまっていることに気付くことがある。このような場合に、ユーザは、簡単操作で、番組Ｐ２を最初から視聴することができ、非常に便利である。
【００４７】
続いて、図４を参照して、番組Ｐ２を所定時間遡って再生する再生制御の一例についてより詳しく説明する。例えば、図５に示すチャンネルＣＨ１０１〜ＣＨ１０８に対応した放送中の番組Ｐ１〜Ｐ８を記録している場合、つまり、番組Ｐ２（フォーカス番組）が記録されている場合であって(図４のＳ４００、ＹＥＳ)、番組Ｐ２が放送中（リアルタイム再生中）の場合には(図４のＳ４１０、ＹＥＳ)、所定操作に対応して、コントローラ１１０は、番組Ｐ２の現在放送中の第１の再生時間位置を第１の再生時間位置より過去の第２の再生時間位置（第１の再生時間位置より所定時間遡った第２の再生時間位置）へ変更し、番組Ｐ２を第２の再生時間位置から再生する(図４のＳ４２０)（図８参照）。つまり、コントローラ１１０は、番組Ｐ２のリアルタイム再生をタイムシフト再生に切り替え、番組Ｐ２を第２の再生時間位置から再生する。このとき、コントローラ１１０は、他の番組Ｐ１、Ｐ３〜Ｐ８の現在放送中の映像の再生を継続する（図８参照）。つまり、コントローラ１１０は、他の番組Ｐ１、Ｐ３〜Ｐ８のリアルタイム再生を継続する。
【００４８】
例えば、１回の所定操作に対応して、コントローラ１１０は、現在放送中の第１の再生時間位置より５秒遡った位置から番組Ｐ２を再生し、２回の所定操作に対応して、現在放送中の第１の再生時間位置より１０秒遡った位置から番組Ｐ２を再生する。このとき、コントローラ１１０は、他の番組Ｐ１、Ｐ３〜Ｐ８の現在放送中の映像の再生を継続する。
【００４９】
或いは、１回の所定操作に対応して、コントローラ１１０が、全番組（番組Ｐ１〜Ｐ８）を所定時間遡って再生することもできる。つまり、１回の所定操作に対応して、コントローラ１１０が、全番組（番組Ｐ１〜Ｐ８）のリアルタイム再生をタイムシフト再生に切り替え、全番組を所定時間遡って再生することもできる。
【００５０】
或いは、所定操作に対応して、コントローラ１１０は、番組Ｐ２と番組Ｐ１の表示位置を入れ替えて、番組Ｐ２を所定時間遡って再生し、他の番組Ｐ１、Ｐ３〜Ｐ８の現在放送中の映像の再生を継続することもできる。この場合、映像表示部１４１は、番組Ｐ２の映像を第１のサイズ（大きいサイズ）の表示領域Ｅ１で表示し、番組Ｐ１の映像を第２のサイズ（小さいサイズ）の表示領域Ｅ２で表示する。
【００５１】
なお、番組Ｐ２が放送中（リアルタイム再生中）の番組でなく(図４のＳ４１０、ＮＯ)、タイムシフト再生中番組であれば(図４のＳ４３０、ＹＥＳ)、所定再生制御操作に対応して、コントローラ１１０は、番組Ｐ２のタイムシフト再生を制御する(図４のＳ４４０)。
【００５２】
なお、番組Ｐ１〜Ｐ８のうちの番組Ｐ２が所定時間遡って再生され、他の番組Ｐ１、Ｐ３〜Ｐ８の現在放送中の映像の再生がされている状態で、さらに、ユーザが、操作部１１５又はリモートコントローラ１１６を介して、表示領域Ｅ１〜Ｅ８の８つの表示領域の中から表示領域Ｅ３を選択し（チャンネルＣＨ１０３を指定し）、操作部１１５又はリモートコントローラ１１６を介して、所定操作（例えば巻き戻しキー操作或いは決定キー操作）を入力すると、コントローラ１１０は、番組Ｐ３の現在放送中の第３の再生時間位置を第３の再生時間より過去の第４の再生時間位置へ変更し、番組Ｐ４を第４の再生時間位置から再生する。つまり、コントローラ１１０は、番組Ｐ２及びＰ３をタイムシフト再生しつつ、番組Ｐ１、Ｐ４〜Ｐ８をリアルタイム再生する。このようにして、デジタルテレビジョン放送受信装置１は、８番組の夫々の再生を制御することができる。
【００５３】
以上により、映像表示部１４１により８番組が同時に表示されている状態で、ユーザが番組Ｐ２の所定のシーンを見逃してしまった場合に、簡単操作で、番組Ｐ２を所定時間遡って視聴することができる。例えば、ユーザが、操作部１１５又はリモートコントローラ１１６を介して、１番組単独表示を複数番組同時表示に切り替えたとき、ユーザは、番組Ｐ２の所定のシーンを見逃してしまってたことに気付くことがある。このような場合に、ユーザは、簡単操作で、番組Ｐ２を所定時間遡って視聴することができ、非常に便利である。
【００５４】
以上説明したように、映像表示部１４１により８番組が同時に表示されている状態で、ユーザは、操作部１１５又はリモートコントローラ１１６を介して、簡単操作（ワンタッチ操作）で、番組Ｐ１〜Ｐ８の放送中の映像を視聴しながら、例えば番組Ｐ２を先頭から再生したり、番組Ｐ２を所定時間過去に遡って再生したりすることができる。さらに、番組Ｐ２を先頭から再生したり、番組Ｐ２を所定時間過去に遡って再生したままの状態で、ユーザは、操作部１１５又はリモートコントローラ１１６を介して、簡単操作（ワンタッチ操作）で、例えば番組Ｐ３を先頭から再生したり、番組Ｐ３を所定時間過去に遡って再生したりすることができる。
【００５５】
（第２の実施形態）
次に、図１１を参照し、デジタルテレビジョン放送受信装置１による再生制御について説明する。デジタルテレビジョン放送受信装置１は、アンテナ１０１を介して地上デジタルテレビジョン放送の信号を受信し、信号処理モジュールは、受信信号からサービス情報を検出することができる。サービス情報には、例えば、８日分の各チャンネル（例えばチャンネルＣＨ１０１〜ＣＨ１０８）の番組情報が含まれる。例えば、１番組に対応する番組情報は、１番組のタイトル及び番組内容の情報を含む。
【００５６】
ＯＳＤ信号生成モジュール１１１は、チャンネルＣＨ１０１〜ＣＨ１０８の番組情報に基づき、番組一覧表を表示するためのＯＳＤ信号を生成する。例えば、番組一覧表は、時間軸とチャンネル軸で構成され、且つ８チャンネルにより提供される各番組に対応した番組情報を含む。グラフィック処理モジュール１１２は、チャンネルＣＨ１０１〜ＣＨ１０８の８番組の過去又は現在放送中の再生映像と番組一覧表とを合成し、図１１に示す再生映像付き番組一覧表を表示するための表示情報を出力する。これに対応して、映像表示部１４１は、図１１に示す再生映像付き番組一覧表を表示する。
【００５７】
例えば、再生映像付き番組一覧表の最上段は、チャンネルＣＨ１０１〜ＣＨ１０８の８番組の過去又は現在放送中の再生映像、チャンネルＣＨ１０１〜ＣＨ１０８のチャンネル番号、チャンネルＣＨ１０１〜ＣＨ１０８のチャンネルロゴ、及びチャンネルＣＨ１０１〜ＣＨ１０８のチャンネル名などの情報を含む。さらに、再生映像付き番組一覧表の右上と時間軸に沿った位置に、現在日時情報（例えば１０／２２（金）ＰＭ５：１３）が配置される。つまり、再生映像付き番組一覧表は、チャンネルＣＨ１０１〜ＣＨ１０８により提供される各番組の現在再生時間位置を示す時間情報を含む。
【００５８】
また、再生映像付き番組一覧表に含まれる番組情報は、再生中の番組情報であるのか、又は非再生中の番組情報であるのかを識別可能に表示している。例えば、表示領域Ｅ１にタイトルＡＣＣの番組の映像が表示されている場合には、タイトルＡＣＣの番組情報は第１の表示形式で表示される。同様に、表示領域Ｅ２にタイトルＢＢの番組の映像が表示されている場合には、タイトルＢＢの番組情報も第１の表示形式で表示される。同様に、表示領域Ｅ３にタイトルＣＢＢＢの番組の映像が表示されている場合には、タイトルＣＢＢＢの番組情報も第１の表示形式で表示される。同様に、表示領域Ｅ４にタイトルＤＢの番組の映像が表示されている場合には、タイトルＤＢの番組情報も第１の表示形式で表示される。同様に、表示領域Ｅ５にタイトルＥＡＡの番組の映像が表示されている場合には、タイトルＥＡＡの番組情報も第１の表示形式で表示される。同様に、表示領域Ｅ６にタイトルＦＡの番組の映像が表示されている場合には、タイトルＦＡの番組情報も第１の表示形式で表示される。同様に、表示領域Ｅ７にタイトルＧＣの番組の映像が表示されている場合には、タイトルＧＣの番組情報も第１の表示形式で表示される。同様に、表示領域Ｅ８にタイトルＨＣの番組の映像が表示されている場合には、タイトルＨＣの番組情報も第１の表示形式で表示される。上記以外の番組情報（例えばタイトルＡＡ、タイトルＡＢＢＢなど）は、第２の表示形式で表示される。
【００５９】
次に、図５〜図１０に示すマルチ画面から図１１に示す再生映像付き番組一覧表への遷移の一例について説明する。例えば、１０／２２（金）ＰＭ４：３０の時点で、図５に示すように映像表示部１４１にマルチ画面が表示された状態（８チャンネルに対応した８番組が同時表示された状態）で、ユーザは、操作部１１５又はリモートコントローラ１１６を介して、表示領域Ｅ２を選択し、さらに、所定操作（例えば頭出しキー操作又は巻き戻しキー操作）を入力すると、コントローラ１１０は、番組Ｐ２の現在放送中の第１の再生時間位置を番組Ｐ２の先頭の第２の再生時間位置へ変更し、番組Ｐ２を先頭から再生する（図７参照）。
【００６０】
この後、例えば、１０／２２（金）ＰＭ４：４５の時点で、図７に示すように映像表示部１４１にマルチ画面が表示された状態（８チャンネルに対応した８番組が同時表示された状態）で、ユーザは、操作部１１５又はリモートコントローラ１１６を介して、表示領域Ｅ３を選択し、さらに、所定操作（例えば頭出しキー操作又は巻き戻しキー操作）を入力すると、コントローラ１１０は、番組Ｐ３の現在放送中の第３の再生時間位置を番組Ｐ３の先頭の第４の再生時間位置へ変更し、番組Ｐ３を先頭から再生する（図１０参照）。
【００６１】
この後、例えば、１０／２２（金）ＰＭ５：１３の時点で、図１０に示すように映像表示部１４１にマルチ画面が表示された状態（８チャンネルに対応した８番組が同時表示された状態）で、ユーザは、操作部１１５又はリモートコントローラ１１６を介して、番組一覧表の表示を指定すると、コントローラ１１０は、図１０に示すマルチ画面を図１１に示す再生映像付き番組一覧表に切り替える。この時点で、図１１に示すように、再生映像付き番組一覧表において、ＣＨ１０２の過去のタイトルＢＢが再生中であることが示されるとともに、表示領域Ｅ２によりＣＨ１０２の過去のタイトルＢＢの映像が表示され、また、ＣＨ１０３の過去のタイトルＣＢＢＢが再生中であることが示されるとともに、表示領域Ｅ３によりＣＨ１０３の過去のタイトルＣＢＢＢの映像が表示される。また、再生映像付き番組一覧表において、ＣＨ１０１の現在放送中のタイトルＡＣＣが再生中であることが示されるとともに、表示領域Ｅ１によりＣＨ１０１の現在放送中のタイトルＡＣＣの現在放送中の映像が表示される。同様に、ＣＨ１０４〜ＣＨ１０８の現在放送中のタイトルが再生中であることが示されるとともに、表示領域Ｅ４〜Ｅ８によりＣＨ１０４〜ＣＨ１０８の現在放送中のタイトルの現在放送中の映像が表示される。
【００６２】
なお、第１の実施形態では、デジタルテレビジョン放送受信装置１が、図５〜図１０に示すマルチ画面を表示した状態から、各番組の夫々の再生を制御するケース（リアルタイム再生からタイムシフト再生へ変更するケース）について説明し、第２の実施形態では、デジタルテレビジョン放送受信装置１が、例えば図１０に示すマルチ画面から図１１に示す再生映像付き番組一覧表へ切り換えるケースについて説明した。さらに、デジタルテレビジョン放送受信装置１は、図１１に示す再生映像付き番組一覧表を表示した状態から、各番組の夫々の再生を制御する（リアルタイム再生からタイムシフト再生へ変更する）こともできるし、また、図１１に示す再生映像付き番組一覧表から、図５〜図１０に示すマルチ画面へ切り換えることもできる。
【００６３】
なお、上記したモジュールとは、ハードウェアで実現するものであっても良いし、ＣＰＵ等を使ってソフトウェアで実現するものであってもよい。
【００６４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６５】
１…デジタルテレビジョン放送受信装置、１０１…アンテナ、１０２…入力端子、１０３…チューナー部、１０４〜１０７…外部入力端子、１０８…信号処理モジュール、１１０…コントローラ、１１１…ＯＳＤ信号生成モジュール、１１２…グラフィック処理モジュール、１１３…映像処理モジュール、１１４…音声処理モジュール、１１５…操作部、１１７…受信部、１１９…カードホルダ、１２０…カードインターフェース、１２１…明るさセンサー、１２２…ＬＡＮ端子、１２３…通信インターフェース、１２４…ＵＳＢ端子、１２５…ＵＳＢインターフェース、１２６…ｉＬＩＮＫ端子、１２７…ｉＬＩＮＫインターフェース、１２８…ＨＤＭＩ端子、１２９…ＨＤＭＩインターフェース、１４１…映像表示部、１４２…スピーカ、１５１、１５２…ＨＤＤ。
【図１】
2012095211.tif 000003
【図２】
2012095211.tif 000004
【図３】
2012095211.tif 000005
【図４】
2012095211.tif 000006
【図５】
2012095211.tif 000007
【図６】
2012095211.tif 000008
【図７】
2012095211.tif 000009
【図８】
2012095211.tif 000010
【図９】
2012095211.tif 000011
【図１０】
2012095211.tif 000012
【図１１】
2012095211.tif 000013
【手続補正書】
【提出日】平成23年11月21日(2011.11.21)
【手続補正２】
【補正対象書類名】特許請求の範囲
【補正対象項目名】全文
【補正方法】変更
【補正の内容】
【特許請求の範囲】
【請求項１】
複数番組を記録する記録手段と、
複数表示領域で前記複数番組を再生する再生手段と、
前記複数表示領域のうちの第１の表示領域により再生される第１の番組の選択に対応して、前記第１の表示領域により表示される第１の番組の現在放送中の第１の再生時間位置を前記第１の再生時間位置より過去の第２の再生時間位置へ変更し、前記第１の番組を前記第２の再生時間位置から再生し、また、前記第１の表示領域の選択に対応して、前記第１の番組の現在放送中の前記第１の再生時間位置を前記第１の番組の先頭の第２の再生時間位置へ変更し、前記第１の番組を前記先頭から再生し、前記複数表示領域のうちの第２の表示領域により再生される第２の番組の選択に対応して、前記第２の表示領域により表示される前記第２の番組の現在再生時間位置を変更して再生し、また、時間戻し操作に対応して、前記第１の番組を現在放送中の第３の再生時間位置へ戻して再生し、前記第２の番組も現在放送中の第４の再生時間位置へ戻して再生する再生制御手段と、
時間軸とチャンネル軸で構成され且つ複数チャンネルにより提供される各番組に対応した番組情報を含み、さらに前記複数チャンネルにより提供される各番組のうち再生中番組及び非再生中番組を識別可能に表示した前記番組情報を含み、さらに前記複数表示領域を含む前記番組一覧表を表示する表示手段と、
を備え、
前記表示手段は、前記再生制御手段による再生制御に対応した前記番組一覧表の表示を、前記再生制御手段による前記再生制御に対応した前記複数表示領域の表示へ切り換える再生装置。
【請求項２】
前記再生制御手段は、前記番組一覧表の表示において、前記第１の番組のリアルタイム再生をタイムシフト再生へ変更し、
前記表示手段は、前記再生制御手段による前記第１の番組の前記タイムシフト再生に対応した前記番組一覧表の表示を、前記再生制御手段による前記第１の番組の前記タイムシフト再生に対応した前記複数表示領域の表示へ切り換える請求項１記載の再生装置。
【手続補正３】
【補正対象書類名】明細書
【補正対象項目名】００６４
【補正方法】変更
【補正の内容】
【００６４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下、本出願の出願当初の特許請求の範囲に記載された発明を付記する。
（１）
複数番組を記録する記録手段と、
複数表示領域で前記複数番組を再生する再生手段と、
前記複数表示領域のうちの第１の表示領域により再生される第１の番組の選択に対応して、前記第１の表示領域により表示される第１の番組の現在再生時間位置を変更して再生する再生制御手段と、
を備えた再生装置。
（２）
前記再生制御手段は、前記第１の表示領域の選択に対応して、前記第１の番組の現在放送中の第１の再生時間位置を前記第１の再生時間位置より過去の第２の再生時間位置へ変更し、前記第１の番組を前記第２の再生時間位置から再生する（１）記載の再生装置。
（３）
前記再生制御手段は、前記第１の表示領域の選択に対応して、前記第１の番組の現在放送中の前記第１の再生時間位置を前記第１の番組の先頭の第２の再生時間位置へ変更し、前記第１の番組を前記先頭から再生する（１）又は（２）記載の再生装置。
（４）
前記再生制御手段は、前記複数表示領域のうちの第２の表示領域により再生される第２の番組の選択に対応して、前記第２の表示領域により表示される前記第２の番組の現在再生時間位置を変更して再生する（１）乃至（３）の何れか１つに記載の再生装置。
（５）
前記再生制御手段は、時間戻し操作に対応して、前記第１の番組を現在放送中の第３の再生時間位置へ戻して再生し、前記第２の番組も現在放送中の第４の再生時間位置へ戻して再生する（４）記載の再生装置。
（６）
時間軸とチャンネル軸で構成され且つ複数チャンネルにより提供される各番組に対応した番組情報を含む番組一覧表を表示する表示手段を備え、
前記表示手段は、前記複数チャンネルにより提供される各番組のうち再生中番組及び非再生中番組を識別可能に表示した前記番組情報を含む前記番組一覧表を表示する（１）乃至（５）の何れか１つに記載の再生装置。
（７）
前記表示手段は、前記複数表示領域を含む前記番組一覧表を表示する（６）に記載の再生装置。
（８）
複数番組を記録し、
複数表示領域で前記複数番組を再生し、
前記複数表示領域のうちの第１の表示領域により再生される第１の番組の選択に対応して、前記第１の表示領域により表示される第１の番組の現在再生時間位置を変更して再生する再生方法。